(57)【要約】【課題】  包装体を棒状体に巻き付ける際に、包装体がスリットから抜け出すことを抑制することができる治具を提供する。【解決手段】  治具は、包装体から内容物を出すために用いられる治具において、棒状体を備え、棒状体は、長手方向に延びるスリットを備え、スリットは、屈曲部を備える。【選択図】  図３
2020111334.tif 000002
【特許請求の範囲】
【請求項１】
包装体から内容物を出すために用いられる治具において、
棒状体を備え、
前記棒状体は、長手方向に延びるスリットを備え、
前記スリットは、屈曲部を備える、治具。
【請求項２】
前記スリットの幅は、前記屈曲部で、狭くなる、請求項１に記載の治具。
【請求項３】
前記スリットは、隙間を有して対面する一対の対面部を備え、
前記一対の対面部のうち、少なくとも一方は、少なくとも前記屈曲部において、凹凸状に形成される、請求項１又は２に記載の治具。
【発明の詳細な説明】
【技術分野】
【０００１】
本発明は、治具に関する。
【背景技術】
【０００２】
従来、例えば、治具は、棒状体を備えており、棒状体は、長手方向に延びるスリットを備えている（例えば、特許文献１〜５）。斯かる治具においては、包装体がスリットに挿入され、その後、棒状体が回転され、包装体が棒状体に巻き付けられることによって、包装体の内容物が絞り出される。
【０００３】
ところで、特許文献１〜５に係る治具においては、スリットは、直線状に延びている。なお、特許文献１に係る治具のスリットは、スリットの幅が広くなる幅広部を有しているものの、スリットの中心は直線状のままである。したがって、特許文献１〜５に係る治具においては、包装体を棒状体に巻き付ける際に、包装体がスリットから滑って抜け出す場合がある。
【先行技術文献】
【特許文献】
【０００４】
【特許文献１】実用新案登録第３１１２１５１号公報
【特許文献２】実開昭４８−４６０４３号公報
【特許文献３】実開昭４９−７９５４６号公報
【特許文献４】実公昭５２−４７６３２号公報
【特許文献５】実公昭５３−４８１９８号公報
【発明の概要】
【発明が解決しようとする課題】
【０００５】
そこで、課題は、包装体を棒状体に巻き付ける際に、包装体がスリットから抜け出すことを抑制することができる治具を提供することである。
【課題を解決するための手段】
【０００６】
治具は、包装体から内容物を出すために用いられる治具において、棒状体を備え、前記棒状体は、長手方向に延びるスリットを備え、前記スリットは、屈曲部を備える。
【０００７】
また、治具においては、前記スリットの幅は、前記屈曲部で、狭くなる、という構成でもよい。
【０００８】
また、治具においては、前記スリットは、隙間を有して対面する一対の対面部を備え、前記一対の対面部のうち、少なくとも一方は、少なくとも前記屈曲部において、凹凸状に形成される、という構成でもよい。
【図面の簡単な説明】
【０００９】
【図１】図１は、蓋付き包装体の全体斜視図である。
【図２】図２は、図１の蓋付き包装体の全体分解斜視図である。
【図３】図３は、一実施形態に係る治具の全体斜視図である。
【図４】図４は、同実施形態に係る治具の全体正面図である。
【図５】図５は、図４のＶ領域拡大図である。
【図６】図６は、図５のＶＩ領域拡大図である。
【図７】図７は、同実施形態に係る治具の使用方法を説明する斜視図である。
【図８】図８は、同実施形態に係る治具の使用方法を説明する斜視図である。
【図９】図９は、同実施形態に係る治具の使用方法を説明する斜視図である。
【図１０】図１０は、同実施形態に係る治具の使用方法を説明する斜視図である。
【図１１】図１１は、図１０のＸＩ−ＸＩ線拡大断面図である。
【図１２】図１２は、他の実施形態に係る治具の要部正面図である。
【発明を実施するための形態】
【００１０】
以下、治具における一実施形態について、図１〜図１１を参照しながら説明する。なお、各図（図１２も同様）において、図面の寸法比と実際の寸法比とは、必ずしも一致しておらず、また、各図面の間での寸法比も、必ずしも一致していない。
【００１１】
ここで、治具の各構成を説明するのに先立って、治具が用いられる包装体について説明する。なお、包装体の構成は、特に限定されない。例えば、図１及び図２に示す包装体１１は、本実施形態に係る治具に用いられる包装体１１の一例であって、所謂、パウチ包装体である。したがって、包装体１１は、斯かる構成に限定されないことは勿論である。
【００１２】
図１及び図２に示すように、蓋付き包装体１０は、内容物が収容される包装体１１と、包装体１１に装着される蓋体１２とを備えている。包装体１１は、内容物が収容される本体部１１ａと、本体部１１ａに固定される筒状部１１ｂとを備えている。そして、蓋体１２は、筒状部１１ｂを封止している。なお、本体部１１ａに収容される内容物は、特に限定されず、例えば、液体、固体、又は、それらの混合体でもよい。
【００１３】
蓋体１２は、外方に突出する突出部１２ａを備えている。そして、蓋体１２に力を加えて、筒状部１１ｂに対して蓋体１２を周方向に回転させることにより、蓋体１２は、筒状部１１ｂから取り外すことができる。これにより、筒状部１１ｂから内容物を出すことができる。
【００１４】
図３及び図４に示すように、本実施形態に係る治具１は、長手方向に延びる棒状体２と、棒状体２の第１端部２ａに固定され、握られる操作部３とを備えている。そして、治具１は、包装体１１（図１及び図２参照）から内容物を絞り出すために用いられる。
【００１５】
操作部３は、棒状体２に大きな力を加えることができるように、棒状体２よりも大きな幅を有している。なお、操作部３の構成は、特に限定されない。例えば、操作部３は、棒状体２に着脱可能に構成されていてもよい。また、操作部３は、特に、設けられておらず、治具１は、棒状体２の端部２ａ（２ｂ）を握って操作される、という構成でもよい。
【００１６】
本実施形態においては、棒状体２は、断面が円形で、且つ、中空状である筒状に形成されている。即ち、棒状体２は、円筒状に形成されている。なお、棒状体２の形状は、長手方向に延びている構成であれば、特に限定されない。例えば、棒状体２は、断面が多角形又は楕円形に形成されていてもよい。また、例えば、棒状体２は、中空ではなく、中が充たされる（後述するスリットを除く）柱状に形成されていてもよい。
【００１７】
棒状体２は、長手方向に延びるスリット４を備えている。スリット４は、棒状体２の第２端部２ｂから第１端部２ａに向けて延びている。そして、スリット４の第１端部（「第１スリット端部」ともいう）４ａは、閉塞されており、スリット４の第２端部（「第２スリット端部」ともいう）４ｂは、開放されている。なお、スリット４は、棒状体２に一つだけ備えられている。なお、スリット４の個数は、特に限定されない。
【００１８】
また、棒状体２は、第２端部２ｂに、蓋体１２（図１及び図２参照）を蓋体１２の周方向で引っ掛ける引掛部５を備えている。引掛部５の構成は、特に限定されないが、例えば、引掛部５は、蓋体１２の突出部１２ａ（図１及び図２参照）を挿入するための一対の溝とすることができる。
【００１９】
なお、一方の引掛部５は、第２スリット端部４ｂの一部を構成している。そして、第２スリット端部４ｂのうち、引掛部５の幅は、他の部分の幅よりも、広くなっている。また、棒状体２の第２端部２ｂは、蓋体１２と嵌合可能に構成されている。
【００２０】
スリット４は、棒状体２の周方向に凹凸となる屈曲部４ｃと、屈曲部４ｃ，４ｃ間に配置される中間部４ｄとを備えている。屈曲部４ｃは、湾曲して形成されている。そして、中間部４ｄは、棒状体２の長手方向と交差するように延びており、第１及び第２スリット端部４ａ，４ｂは、棒状体２の長手方向と平行となるように延びている。
【００２１】
なお、本実施形態においては、屈曲部４ｃは、三つ備えられているが、屈曲部４ｃの個数は、特に限定されない。また、複数の屈曲部４ｃの形状は、それぞれ同じでもよく、また、それぞれ異なっていてもよい。例えば、複数の屈曲部４ｃの曲率半径は、それぞれ同じでもよく、また、異なっていてもよい。
【００２２】
図５に示すように、スリット４は、隙間を有して対面する一対の対面部４ｅ，４ｆを備えている。一対の対面部４ｅ，４ｆは、棒状体２の周方向に凸状となる凸部４ｇと、棒状体２の周方向に凹状となる凹部４ｈとを備えている。そして、一方の対面部４ｅ（４ｆ）の凸部４ｇと他方の対面部４ｆ（４ｅ）の凹部４ｈとが対面することによって、屈曲部４ｃが形成されている。なお、屈曲部４ｃは、スリット４の中心４ｉが屈曲するように、形成されている。
【００２３】
ところで、スリット４の幅Ｗ１，Ｗ２は、屈曲部４ｃで、狭くなっている。具体的には、屈曲部４ｃの頂部の幅Ｗ１は、中間部４ｄの中央の幅Ｗ２よりも、狭くなっている。なお、スリット４の幅Ｗ１，Ｗ２は、特に限定されないが、例えば、包装体１１（図１及び図２参照）のうち、スリット４に挿入される部分の厚みが０．５ｍｍである場合には、スリット４の幅Ｗ１，Ｗ２は、例えば、１．２ｍｍ以下とすることが好ましく、１．０ｍｍ以下とすることがさらに好ましく、０．７ｍｍ以下とすることが非常に好ましい。
【００２４】
また、図６に示すように、対面部４ｅ，４ｆは、凹凸状に形成される凹凸部４ｊと、平坦状に形成される平坦部４ｋとを備えている。そして、凹凸部４ｊは、屈曲部４ｃに配置されている。なお、凹凸部４ｊの形状は、特に限定されないが、本実施形態においては、凹凸部４ｊは、棒状体２の径方向に延びる複数の凸条が並列されることによって、形成されている。
【００２５】
なお、治具１の材質は、特に限定されない。治具１は、例えば、硬質の合成樹脂で形成されてもよく、また、例えば、金属で形成されてもよい。要するに、治具１は、剛性を有していればよい。なお、棒状体２に大きな力が加えられた際に、棒状体２の第２端部２ｂ側の対面部４ｅ，４ｆが近づいたり離れたりするように、棒状体２が若干の弾性を有していてもよい。
【００２６】
本実施形態に係る治具１の構成については以上の通りであり、次に、本実施形態に係る治具１の使用方法について、図７〜図１１を参照しながら説明する。
【００２７】
まず、図７に示すように、棒状体２の第２端部２ｂに、蓋体１２が挿入されることによって、棒状体２の引掛部５に、蓋体１２の突出部１２ａが挿入される。そして、治具１が棒状体２（及び蓋体１２）の周方向に回転される。これにより、引掛部５が棒状体２（及び蓋体１２）の周方向で突出部１２ａに引っ掛かるため、棒状体２と蓋体１２とが一体となって回転する。
【００２８】
そして、棒状体２の第２端部２ｂが蓋体１２と嵌合しているため、図８に示すように、治具１が包装体１１から離されることにより、蓋体１２は、包装体１１から取り外される。このように、蓋体１２を包装体１１から容易に取り外すことができる。なお、操作部３（図３及び図４参照）を握って操作することにより、例えば、小さな力で蓋体１２を包装体１１から取り外すことができる。
【００２９】
そして、棒状体２の第２端部２ｂから蓋体１２を取り外し、図９に示すように、包装体１１の端部が、棒状体２の第２端部２ｂから、スリット４に挿入される。このとき、第２スリット端部４ｂのうち、先端の引掛部５が幅広であり、さらに、第２スリット端部４ｂが、棒状体２の長手方向と平行となるように延びているため、包装体１１の端部をスリット４に容易に挿入することができる。
【００３０】
しかも、屈曲部４ｃが湾曲して形成されているため、包装体１１の端部がスリット４に円滑に案内される。これにより、包装体１１の端部をスリット４に容易に挿入することができる。なお、包装体１１がスリット４に挿入された後に、蓋体１２が、棒状体２の第２端部２ｂに取り付けられてもよい。これにより、包装体１１がスリット４の第２スリット端部４ｂから抜け出ることを抑制することができる。
【００３１】
その後、棒状体２が周方向に回転され、図１０に示すように、包装体１１が棒状体２の外周に巻き付けられる。これにより、包装体１１の内容物を絞り出すことができる。このとき、スリット４が屈曲部４ｃを備えているため、包装体１１が屈曲部４ｃで滑ることを抑制することができている。
【００３２】
そして、屈曲部４ｃの幅Ｗ１（図５参照）が狭くなっているため、包装体１１は、屈曲部４ｃで確実に挟持される。しかも、屈曲部４ｃにおいては、対面部４ｅ，４ｆ（図５及び図６参照）が凹凸部４ｊ（図６参照）を備えているため、包装体１１が屈曲部４ｃで滑ることを効果的に抑制することができている。これにより、包装体１１が棒状体２に巻き付けられる際に、包装体１１がスリット４から抜け出すことを効果的に抑制することができている。
【００３３】
ところで、包装体１１が棒状体２に巻き付けられる際に、棒状体２は、包装体１１から締め付けられるような力を受ける。そして、スリット４が一つだけ備えられており、棒状体２が若干の弾性を有している場合には、図１１に示すように、棒状体２の第２端部２ｂ側の対面部４ｅ，４ｆが近づくように、棒状体２が弾性変形する。これにより、一対の対面部４ｅ，４ｆが包装体１１を強固に挟持することができる。
【００３４】
以上より、本実施形態に係る治具１は、包装体１１から内容物を出すために用いられる治具１において、棒状体２を備え、前記棒状体２は、長手方向に延びるスリット４を備え、前記スリット４は、屈曲部４ｃを備える。
【００３５】
斯かる構成によれば、スリット４に包装体１１が挿入された状態で、棒状体２が回転されることによって、包装体１１が棒状体２に巻き付けられる。このとき、スリット４が屈曲部４ｃを備えているため、包装体１１が屈曲部４ｃで滑ることを抑制することができる。これにより、包装体１１を棒状体２に巻き付ける際に、包装体１１がスリット４から抜け出すことを抑制することができる。
【００３６】
また、本実施形態に係る治具１においては、前記スリット４の幅Ｗ１，Ｗ２は、前記屈曲部４ｃで、狭くなる、という構成である。
【００３７】
斯かる構成によれば、スリット４の幅Ｗ１，Ｗ２が、屈曲部４ｃで狭くなっているため、包装体１１は、屈曲部４ｃで確実に挟持される。これにより、包装体１１が屈曲部４ｃで滑ることを効果的に抑制することができる。したがって、包装体１１を棒状体２に巻き付ける際に、包装体１１がスリット４から抜け出すことを効果的に抑制することができる。
【００３８】
また、本実施形態に係る治具１においては、前記スリット４は、隙間を有して対面する一対の対面部４ｅ，４ｆを備え、前記一対の対面部４ｅ，４ｆのうち、少なくとも一方（本実施形態においては、両方の対面部４ｅ，４ｆ）は、少なくとも前記屈曲部４ｃにおいて、凹凸状に形成される、という構成である。
【００３９】
斯かる構成によれば、屈曲部４ｃにおいて、一対の対面部４ｅ，４ｆのうち、少なくとも一方が、凹凸状に形成されているため、包装体１１が屈曲部４ｃで滑ることを効果的に抑制することができる。これにより、包装体１１を棒状体２に巻き付ける際に、包装体１１がスリット４から抜け出すことを効果的に抑制することができる。
【００４０】
なお、治具１は、上記した実施形態の構成に限定されるものではなく、また、上記した作用効果に限定されるものではない。また、治具１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４１】
（１）上記実施形態に係る治具１においては、屈曲部４ｃは、湾曲して形成されている、という構成である。しかしながら、治具１は、斯かる構成に限られない。例えば、図１２に示すように、屈曲部４ｃは、屈折して形成されている、即ち、角状に形成されている、という構成でもよい。斯かる構成によれば、包装体１１を棒状体２に巻き付ける際に、例えば、屈曲部４ｃが包装体１１を引っ掛けることができる。
【００４２】
（２）また、上記実施形態に係る治具１においては、スリット４の幅Ｗ１，Ｗ２は、屈曲部４ｃで、狭くなっている、という構成である。しかしながら、治具１は、斯かる構成が好ましいものの、斯かる構成に限られない。例えば、図１２に示すように、屈曲部４ｃの幅Ｗ１は、中間部４ｄの幅Ｗ２と、同じである、という構成でもよい。また、例えば、屈曲部４ｃの幅Ｗ１は、中間部４ｄの幅Ｗ２よりも、広い、という構成でもよい
【００４３】
（３）また、上記実施形態に係る治具１においては、屈曲部４ｃにおいて、両方の対面部４ｅ，４ｆが、凹凸状に形成されている、という構成である。しかしながら、治具１は、斯かる構成に限られない。例えば、屈曲部４ｃにおいて、両方の対面部４ｅ，４ｆが、凹凸状に形成されていなくてもよいし、一方の対面部４ｅ（４ｆ）だけが、凹凸状に形成されている、という構成でもよい。
【００４４】
（４）また、上記実施形態に係る治具１においては、対面部４ｅ，４ｆのうち、屈曲部４ｃの部分だけが、凹凸状に形成されている、という構成である。しかしながら、治具１は、斯かる構成に限られない。例えば、対面部４ｅ，４ｆのうち、中間部４ｄの部分だけが、凹凸状に形成されている、という構成でもよい。また、例えば、対面部４ｅ，４ｆの全体が、凹凸状に形成されている、という構成でもよい。
【００４５】
（５）また、上記実施形態に係る治具１においては、第１スリット端部４ａは、閉塞され、第２スリット端部４ｂは、開放されている、という構成である。しかしながら、治具１は、斯かる構成が好ましいものの、斯かる構成に限られない。例えば、第１スリット端部４ａ及び第２スリット端部４ｂの両方が、閉塞されている、という構成でもよい。
【符号の説明】
【００４６】
１…治具、２…棒状体、２ａ…第１端部、２ｂ…第２端部、３…操作部、４…スリット、４ａ…第１スリット端部、４ｂ…第２スリット端部、４ｃ…屈曲部、４ｄ…中間部、４ｅ…対面部、４ｆ…対面部、４ｇ…凸部、４ｈ…凹部、４ｉ…中心、４ｊ…凹凸部、４ｋ…平坦部、５…引掛部、１０…蓋付き包装体、１１…包装体、１１ａ…本体部、１１ｂ…筒状部、１２…蓋体、１２ａ…突出部
【図１】
2020111334.tif 000003
【図２】
2020111334.tif 000004
【図３】
2020111334.tif 000005
【図４】
2020111334.tif 000006
【図５】
2020111334.tif 000007
【図６】
2020111334.tif 000008
【図７】
2020111334.tif 000009
【図８】
2020111334.tif 000010
【図９】
2020111334.tif 000011
【図１０】
2020111334.tif 000012
【図１１】
2020111334.tif 000013
【図１２】
2020111334.tif 000014